(57)【要約】【課題】照明装置を固定する支持部材の材質に拘らず、着脱作業を容易に行うことができ、メンテナンスコストの低減化が可能な照明装置を提供する。【解決手段】本発明は、支持部材３６に対して着脱可能に取り付けられる照明装置１であって、支持部材３６を挟み込み可能な一対の挟持部１６，１７が対向して形成されており、挟持部１６，１７には弾性体２０が装着されていることを特徴とし、弾性体２０は挟持部１６，１７のいずれか一方の挟持部１７に装着されており、弾性体２０が装着された挟持部１７に対向する挟持部１６には、支持部材３６と面接触可能な支持面１８が形成されている。【選択図】図２
2007179796.tif 000002
【特許請求の範囲】
【請求項１】
支持部材に対して着脱可能に取り付けられる照明装置であって、
前記支持部材を挟み込み可能な一対の挟持部が対向して形成されており、該挟持部には弾性体が装着されていることを特徴とする照明装置。
【請求項２】
前記弾性体は前記挟持部のいずれか一方の挟持部に装着されており、前記弾性体が装着された挟持部に対向する挟持部には、前記支持部材と面接触可能な支持面が形成されている請求項１に記載の照明装置。
【請求項３】
前記弾性体は、合成樹脂製で円筒形状を成している請求項１又は２に記載の照明装置。
【発明の詳細な説明】
【技術分野】
【０００１】
本発明は、各種商品を陳列する棚板等の支持部材に取り付けられる照明装置に関する。
【背景技術】
【０００２】
従来、店頭において、棚板に陳列された商品を引き立たせて商品の販売を促進するため、棚板に照明装置を取り付けて棚板上の商品に光を照射することが行われている。
【０００３】
このような場合に使用される照明装置は、通常、光源として白熱灯や蛍光灯を使用しており、照明装置が棚板にビスや磁石等によって固定されるようになっている（例えば、特許文献１又は２参照）。
【０００４】
また、最近では、省エネルギー化や長寿命化を図る目的等のため、白熱灯や蛍光灯の代わりに発光ダイオード（英語名：Light-Emitting Diode、略称：ＬＥＤ）を光源として使用した棚板用の照明装置も提案されており、この種の従来の照明装置としては、例えば、棚板の底板等に発光ダイオードを埋設するもの（特許文献３参照）や、棚板の底板側に穿設した取付孔に発光ダイオードを嵌め込むもの（特許文献４参照）等が知られている。
【特許文献１】特開平１１−３２９０５６号公報
【特許文献２】特開２００２−１５３３６１号公報
【特許文献３】特開２００１−２５０４２０号公報
【特許文献４】特開２００５−２８５７０１号公報
【発明の開示】
【発明が解決しようとする課題】
【０００５】
しかしながら、上記した特許文献１や特許文献２に記載された照明装置では、照明装置が棚板にビスや磁石等で固定する必要があるため、取付作業に非常に手間が掛かるといった問題があった。さらに、磁石を使用する方法では、棚板の材質がスチール製に限定されるといった問題もあった。
【０００６】
また、上記した特許文献２や特許文献３に記載された照明装置では、発光ダイオードを棚板の底板に埋設したり、棚板の底板の取付孔に嵌め込んだりする必要があるため、発光ダイオードの取付作業や交換作業に非常に手間が掛かり、メンテナンスコストが増大するといった問題があった
本発明は、上記した課題を解決すべくなされたものであり、照明装置を固定する支持部材の材質に拘らず、着脱作業を容易に行うことができ、メンテナンスコストの低減化が可能な照明装置を提供することを目的とするものである。
【課題を解決するための手段】
【０００７】
上記した目的を達成するため、本発明は、支持部材に対して着脱可能に取り付けられる照明装置であって、前記支持部材を挟み込み可能な一対の挟持部が対向して形成されており、該挟持部には弾性体が装着されていることを特徴とする。
【０００８】
そして、前記弾性体は前記挟持部のいずれか一方の挟持部に装着されており、前記弾性体が装着された挟持部に対向する挟持部には、前記支持部材と面接触可能な支持面が形成されていてもよい。
【０００９】
また、前記弾性体は、合成樹脂製で円筒形状を成していてもよい。
【発明の効果】
【００１０】
本発明によれば、支持部材の材質に拘らず、支持部材に対する照明装置の着脱作業を容易に行うことができ、メンテナンスコストの低減化を図ることができる等、種々の優れた効果を得ることができる。
【発明を実施するための最良の形態】
【００１１】
以下、図面を参照しつつ、本発明の実施の形態について説明する。なお、以下の説明では、本発明に係る照明装置を棚板に並設する場合について例示して説明する。ここで、図１は本発明の実施の形態に係る照明装置を示す背面図、図２は図１のＡ−Ａ矢視図、図３は照明装置を棚板に取り付けた状態を示す斜視図である。
【００１２】
本実施の形態に係る照明装置１には、横長形状の本体ベース２と、本体ベース２の上部において本体ベース２の長手方向に沿って取り付けられる上方光源部３と、本体ベース２の下部において本体ベース２の長手方向に沿って取り付けられる下方光源部４とを備えている。本体ベース２は、アルミニウム製で、その前面側には本体ベース２の長手方向に沿って名札掲示部５が形成されている。この名札掲示部５は、僅かに前方に向かって凸状に湾曲して形成されており、その上部及び下部には名札差込み溝６がそれぞれ形成されている。
【００１３】
本体ベース２の上部には、本体ベース２の長手方向に沿って上方光源部収容部７が形成されており、上方光源部収容部７内には、後方に傾斜した姿勢で発光体固定部８が形成されている。発光体固定部８の上方後側には上方開口部９が傾斜して形成されており、上方開口部９の上方及び下方に差込み溝１０が形成されている。一方、本体ベース２の下部には、本体ベース２の長手方向に沿って下方光源部収容部１１が形成されており、下方光源部収容部１１内には、前方に傾斜した姿勢で発光体固定部１２が形成されている。発光体固定部１２の下方後側には下方開口部１３が傾斜して形成されており、この下方開口部１３の上方及び下方に差込み溝１４が形成されている。
【００１４】
本体ベース２の後面側には、本体ベース２の長手方向に沿って、略コの字状断面の凹部１５が形成されており、この凹部１５には上下一対の挟持部１６，１７が対向して形成されている。そして、上方側の挟持部１６には支持面１８が水平に形成されていると共に、下方側の挟持部１７には弾性体嵌合部１９が形成されており、挟持部１６，１７は、支持面１８と下方側の挟持部１７の上面３５との間隔が照明装置１の支持部材となる棚板３６の厚みより僅かに大きくなるように形成されている。また、弾性体嵌合部１９の両側には、それぞれ、フッ素樹脂等の合成樹脂製で円筒チューブ状を成す弾性体２０が嵌合しており、弾性体２０の上端部は下方側の挟持部１７の上面３５から僅かに上方に突出するようになっている。
【００１５】
本体ベース２の両側端部には開口が形成されており、この開口を閉塞するようにキャップ２１が装着されている。このキャップ２１は樹脂成形品にメッキを施して形成されており、凹部１５の僅か下方であって、各キャップ２１の前方下傾部分の目立たない位置には、それぞれ、リード線取出し用の欠込み部２２が形成されている。
【００１６】
上方光源部３は、発光体固定部８において後方に傾斜した姿勢で固定される発光体２３と、上方開口部９を閉塞するように周縁部が上下の差込み溝１０に挿入される透明なカバーシート２４と、カバーシート２４のさらに外側において周縁部が上下の差込み溝１０に挿入されるシート状の拡散部材２５とから構成されている。拡散部材２５は、外側上方に凸状に湾曲するようにして差込み溝１０に差し込まれており、発光ダイオード２７からの離間距離を十分に確保できるようになっている。
【００１７】
発光体２３には、横長の回路基板２６上に複数の白色の発光ダイオード２７が狭ピッチでライン状に配列されており、発光体２３の左右いずれの側からも電源用のリード線２８が取出し可能となっている。また、発光体２３には、回路基板２６の裏面側にシリコンゴム製の放熱部材３３が接着されており、この放熱部材３３を介して発光体２３が本体ベース２の発光体固定部８に接着されるようになっている。
【００１８】
また、下方光源部３は、発光体固定部１２に前方に傾斜した姿勢で固定される発光体２９と、下方開口部１３を閉塞するように周縁部が上下の差込み溝１４に挿入される透明なカバーシート３０とから構成されている。発光体２９には、横長の回路基板３１上に一定の割合で白色、赤色、緑色の発光ダイオード３２が狭ピッチでライン状に配列されており、発光体２９の左右いずれの側からも電源用のリード線２８が取出し可能となっている。そして、白色、赤色、緑色の発光ダイオードは、好ましくは、赤色と緑色の混合比率がそれぞれ２０％を超えないように配列されているのがよく、さらに好ましくは、白色、赤色、緑色がそれぞれ８：１：１の割合で混合して配列されているのがよい。また、発光体２９には、回路基板３１の裏面側にシリコンゴム製の放熱部材３４が接着されており、この放熱部材３４を介して発光体２９が本体ベース２の発光体固定部１２に接着されるようになっている。
【００１９】
このような構成を備えた照明装置１を多段複数列（図３では３段２列）に渡って配置された棚板３６に並設する場合、各照明装置１の凹部１５をそれぞれ各段各列の棚板３６の前端部３７に挿入する。そうすると、上側の挟持部１６の支持面１８が棚板３６の上面に面接触すると共に、下側の挟持部１７の弾性体２０がその弾性力により棚板３６の下面に密着することにより、上下の挟持部１６，１７が棚板３６を挟み込んだ状態となり、各照明装置１はそれぞれ各段各列の棚板３６に水平に固定される。
【００２０】
次いで、左右に隣接する棚板３６にそれぞれ固定された照明装置１，１を互いに対向するキャップ２１の欠込み部２２から取り出したリード線２８同士をコネクタ接続することにより連結すると共に、一方（図３では左方）の照明装置１の他方の欠込み部２２から取り出したリード線２８を電源（図示省略）に接続する。この時、各欠込み部２２は凹部１５の下方の前方下傾部分に形成されているため、リード線２８が照明装置１と棚板３６との間に挟まるおそれはない。
【００２１】
このように照明装置１を各棚板３６にセットした状態において電源を入れると、上方光源部３の発光ダイオード２７からは上方後側に向かって青白い色の光が発せられ、この光は拡散部材２５を透過することにより周囲に拡散される。この時、拡散部材２５が外側上方に凸状に湾曲して形成されており、発光ダイオード２７と拡散部材２５との間には十分な距離が確保されているため、発光ダイオード２７から発せられた光は十分に拡散され、棚板３６上の商品を前方下側から広範囲に照射することができる。さらに、各発光ダイオード２７から点状に発せられた光は外側上方に凸状に湾曲して形成された拡散部材２５を通過することにより連続した線状の光に変換されるため、デザイン性が向上し、顧客の目を引き付けるアイキャッチ効果を得ることができる。
【００２２】
一方、下方光源部４の発光ダイオード３２からは下方後側に向かって青白い色に赤色と緑色を混合した色の光が発せられ、この混合光は下段の棚板３６に固定された照明装置１の上方光源部３からの青白い色の光と干渉し合い、光の三原色である赤緑青の色の光を創り出し、棚板３６上の商品を前方上側から照射する。このように、上方光源部３の発光ダイオード２７から発せられた光と下方光源部４から発せられた光とが互いに干渉することにより、自然光に近い暖かみのある光を創り出すことができるため、棚板３６上に載置された商品の本来の色合いを映し出すことができる。
【００２３】
また、この時、各発光体２３，２９から発生する熱は、放熱部材３３，３４を介して本体ベース２に伝わり、自然放出される。
【００２４】
上記したように本実施の形態に係る照明装置１によれば、光源として発光ダイオード２７，３２を使用しているため、白熱灯や蛍光灯と比較して、省エネルギー化や長寿命化を図ることができる。また、発光ダイオード２７，３２は発熱量が少なく、周囲の温度上昇を抑制することができるため、上記した照明装置１は化粧品や生鮮食料品等、熱に弱い商品の照明にも使用することができる。さらに、この照明装置１は、棚板３６上の商品に対して上方及び下方の両方向から光を照射することができるため、棚板３６に陳列された商品の輪郭を浮かび上がらせて引き立たせることができる。
【００２５】
さらに、上記した照明装置１は弾性体２０の弾性力により棚板３６に固定されるようになっているため、照明装置１の棚板３６への着脱をワンタッチで簡単に行うことができ、メンテナンスコストの低減化を図ることができると共に、ネジ止め等の固定作業のためのスペースが不要となり、省スペース化を図ることができる。また、弾性体２０が装着されている挟持部１７に対向する挟持部１６には、棚板３６の上面に面接触可能なように支持面１８が形成されているため、照明装置１を棚板３６にしっかりと固定することができる。さらにまた、透明な棚板３６に取り付けた場合でも、照明装置の固定箇所や裏側が透けて見えることがなく、見栄えの良いスマートな形状に仕上げることができるため、デザイン性を向上させることもできる。
【００２６】
なお、上記した実施の形態において、弾性体２０は、フッ素樹脂等の合成樹脂製で円筒チューブ状を成し、弾性体嵌合部１９の両側にそれぞれ１箇所ずつ設けられているが、これは単なる例示に過ぎず、例えば、合成ゴム製で円柱状に形成したり、或いは、弾性体嵌合部１９の中央にも弾性体２０を配置したりする等、弾性体２０の材質や構造、及び設置数については各種変更が可能である。また、弾性体２０の構造としては、上記したように円筒形状のものが好ましいが、挟み込む棚板３６の種類や厚みによって、弾性体２０の肉厚を厚くしたり、薄くしたりすることも可能であり、これにより、棚板３６に対して、照明装置１を容易に着脱することができると共に、しっかりと固定することができる。
【００２７】
また、凹部１５の上下の挟持部１６，１７は、例えば、厚みが６ｍｍの棚板と８ｍｍの棚板の両方の棚板に固定可能なように、支持面１８と弾性体嵌合部１９の上面３５との間隔を、８ｍｍの厚みの棚板に合せて設定しておき、６ｍｍの厚みの棚板に固定する場合には、支持面１８側に２ｍｍの厚さのスペーサを貼付するようにしてもよい。
【００２８】
さらに、上下の発光体２３，２９の発光ダイオード２７，３２の色の組み合わせは、上記した場合に限定されるものではなく、例えば、上下共に白色一色の発光ダイオードで構成したり、或いは、上方だけを白色、赤色、緑色の発光ダイオードで構成したり、或いは、上下共に白色、赤色、緑色の発光ダイオードで構成したりしてもよく、さらに、混合色の組合せとしては、白色と赤色、或いは、白色と緑色であってもよい。
【００２９】
さらにまた、光源部３，４の数は、上記したように上下に１灯ずつ設置するのではなく、例えば、上下に２灯ずつ又はそれ以上設置したり、或いは、上下の一方に１灯設置すると共に他方に２灯設置したりする等、各種変更が可能である。
【００３０】
さらに、発光体２３，２９の光源としては、上記した発光ダイオードに限定されるものではなく、例えば、発光有機ＥＬ素子等、他の発光素子を使用してもよい。
【００３１】
さらに、拡散部材２５は、上方光源部３の代わりに下方光源部４に取り付けたり、或いは、上下両方の光源部３，４に取り付けたりしてもよい。また、拡散部材２５を設置した場合には、カバーシート２４，３０の設置を省略することもできる。
【００３２】
さらにまた、上記した実施の形態においては、照明装置１を棚板３６に水平に固定する場合について例示して説明したが、本発明に係る照明装置は、間仕切壁の前端部に垂直姿勢で固定する等、他の支持部材に異なる姿勢で固定することもできる。
【図面の簡単な説明】
【００３３】
【図１】本発明の実施の形態に係る照明装置を示す背面図である。
【図２】図１のＡ−Ａ矢視図である。
【図３】本発明の実施の形態に係る照明装置を棚板に取り付けた状態を示す斜視図である。
【符号の説明】
【００３４】
１          照明装置
１６        挟持部
１７        挟持部
１８        支持面
２０        弾性体
３６        棚板（支持部材）
【図１】
2007179796.tif 000003
【図２】
2007179796.tif 000004
【図３】
2007179796.tif 000005